【手続補正書】
【提出日】平成24年2月6日(2012.2.6)
【手続補正１】
【補正対象書類名】特許請求の範囲
【補正対象項目名】全文
【補正方法】変更
【補正の内容】
【特許請求の範囲】
【請求項１】
複数の光起電力電池を電気的に接続するように構成された延長された導体であって、反射性表面を有する導体と、
前記導体の反射性表面の上に配置された光学共鳴キャビティ層と、
前記光学共鳴キャビティ層の上に配置された吸収体層であって、半透明な厚みを有する金属層又は半導体層を含む吸収体層と、を含み、
前記光学共鳴キャビティ層及び吸収体層が前記導体からの反射を反射率が約１０％未満となるよう干渉により低減するように構成される、光起電力デバイス用のリボン。
【請求項２】
前記反射性表面がリボン導体層の上に配置された金属反射層によって画定される、請求項１に記載のリボン。
【請求項３】
前記金属反射層が前記光学共鳴キャビティ層と導体との間に配置される、請求項２に記載のリボン。
【請求項４】
前記反射性層がリボン導体層の一面に配置される、請求項２に記載のリボン。
【請求項５】
前記反射性表面がリボン導体層の上部側及び下部側の上に配置される、請求項２に記載のリボン。
【請求項６】
前記反射性表面は導体の導体表面を形成する単一の導体層の表面によって画定される、請求項１に記載のリボン。
【請求項７】
前記光学共鳴キャビティ層及び吸収体層が導体の一つの側に配置される、請求項１に記載のリボン。
【請求項８】
前記光学共鳴キャビティ層及び吸収体層が導体の両側に配置される、請求項１に記載のリボン。
【請求項９】
前記光学共鳴キャビティ層及び吸収体層が導体を囲む、請求項８に記載のリボン。
【請求項１０】
前記光学共鳴キャビティ層及び吸収体層が導体材料で作られる、請求項９に記載のリボン。
【請求項１１】
前記光学共鳴キャビティ層及び吸収体層が、前記導体から反射される光の色が光起電力デバイスの周囲のフィーチャの色と実質的に調和するように構成される、請求項１に記載のリボン。
【請求項１２】
前記光学共鳴キャビティ層及び吸収体層が、入射可視光が前記導体から反射されず、またはほとんど反射されず、その結果、通常の視角から前記リボンが黒色に見えるように構成される、請求項１に記載のリボン。
【請求項１３】
前記光学共鳴キャビティ層及び吸収体層が、前記導体からの可視範囲内の反射率が約５％未満であるように構成される、請求項１に記載のリボン。
【請求項１４】
それがある側の入射光から電流を生成するための手段と、
前記電流を生成するための手段で複数の電流電池を配列及び相互接続する手段と
前記配列及び相互接続する手段からの反射光を約１０％未満に低減する手段と、
を備える光起電力デバイス。
【請求項１５】
前記電流を生成するための手段が光起電力電池を含む、請求項１４に記載の光起電力デバイス。
【請求項１６】
前記配列及び相互接続する手段が延長された導体を含む、請求項１５に記載の光起電力デバイス。
【請求項１７】
前記配列及び相互接続する手段からの反射光を低減する手段が、延長された導体の上に配置された干渉マスク層を含み、前記干渉マスク層が光学共鳴キャビティ層及び吸収体層を含む、請求項１６に記載の光起電力デバイス。
【請求項１８】
複数の光起電力電池に沿ってマスキングリボンを配列し、前記マスキングリボンが導体層と、導体層の上の光学共鳴キャビティと、光学共鳴キャビティの上の吸収体層とを含み、前記吸収体層が半透明な厚みを有する金属層又は半導体層を含み、前記光学共鳴キャビティ層及び吸収体層が前記導体層の反射率が約１０％未満に低減するように構成される段階と
前記マスキングリボンが光起電力電池に動作可能に接続され、かつ光起電力電池が電気的に相互接続されるように、複数の光起電力電池に沿って前記マスキングリボンを取り付ける段階と
を含む、複数の光起電力電池を相互接続する方法。
【請求項１９】
応力除去用の湾曲を備えたマスキングリボンを準備する段階をさらに備える、請求項１８に記載の方法。
【請求項２０】
前記マスキングリボンを取り付ける段階が接着層を使用する段階を含む、請求項１８に記載の方法。
【請求項２１】
前記接着層がはんだを含む、請求項２０に記載の方法。
【請求項２２】
前記光起電力電池がおもて電極、裏電極、及び接点の少なくとも一つを複数有する、請求項１８に記載の方法。
【請求項２３】
前記マスキングリボンが絶縁材料を通じておもて電極、裏電極、及び接点の少なくとも一つを複数接続する、請求項２２に記載の方法。
【請求項２４】
前記光学共鳴キャビティ層及び吸収体層が導体材料で作られる、請求項１８に記載の方法。
【請求項２５】
前記光学共鳴キャビティ層及び吸収体層が、前記導体から反射される光の色が光起電力デバイスの周囲のフィーチャの色と実質的に調和するように構成される、請求項１８に記載の方法。
【請求項２６】
前記光学共鳴キャビティ層及び吸収体層が、入射可視光が前記導体層から反射されず、またはほとんど反射されず、その結果、通常の視角から前記マスキングリボンが黒色に見えるように構成される、請求項１８に記載の方法。
【請求項２７】
前記光学共鳴キャビティ層及び吸収体層が、前記導体層からの可視範囲内の反射率が約５％未満であるように構成される、請求項１８に記載の方法。
【請求項２８】
導体ストリップを準備する段階と
導体ストリップを複数の層で被覆し、前記層が導体ストリップの上の光学共鳴キャビティ及び光学共鳴キャビティの上の光学吸収体層を形成して干渉変調器マスクを画定する、被覆段階と
を含み、前記光学吸収体層が半透明な厚みを有する金属層又は半導体層を含み、前記光学共鳴キャビティ層及び光学吸収体層が前記導体ストリップからの反射率が約１０％未満に低減するように構成される光起電力デバイス用のリボン導体の製造方法。
【請求項２９】
前記導体ストリップの両側が被覆される、請求項２８に記載の方法。
【請求項３０】
前記干渉変調器マスクが、前記導体ストリップからの可視反射を約５％未満に干渉により低減するように構成される、請求項２８に記載の方法。
【請求項３１】
前記光学共鳴キャビティ層及び吸収体層が導体材料で形成される、請求項２８に記載の方法。
【請求項３２】
前記光学共鳴キャビティがＩＴＯ及びＺｎＯのうち少なくとも一つで形成される、請求項３１に記載の方法。
【請求項３３】
前記吸収体層がＭｏ、Ｃｒ、ＭｏＣｒ、及びＴｉのうち少なくとも一つから形成される、請求項３１に記載の方法。
【請求項３４】
前記光学共鳴キャビティと前記導体ストリップとの間に配置された反射性層をさらに含む、請求項２８に記載の方法。
【請求項３５】
前記導体ストリップを被覆する段階が、
光学共鳴キャビティ層及び吸収体層を含む干渉マスク層を有する基板を準備する段階と、
続いて干渉マスク層を有する基板を導体ストリップ上部に積層する段階と、
導体ストリップ上への積層の後、干渉マスク層から基板を取り外す段階と、
を含む、請求項２８に記載の方法。
【請求項３６】
複数の光起電力電池と、
前記複数の光起電力電池を電気的に接続する導体層と、
前記導体層上に光学干渉変調器マスクを形成する複数の層であって、前記マスクが導体層からの反射率を約１０％未満とするように構成された、複数の層と、
を含む光学エネルギーを電気エネルギーに変換するシステム。
【請求項３７】
前記導体層と光学干渉変調器マスクとを複数の光起電力電池と接合するように構成される接着材料をさらに含む、請求項３６に記載のシステム。
【請求項３８】
前記接着材料がはんだを含む、請求項３７に記載のシステム。
【請求項３９】
前記光学干渉変調器マスクが黒色に見えるように構成される、請求項３６に記載のシステム。
【請求項４０】
前記光学干渉変調器マスクが導体層上の可視反射を約１％から約３％の間に低減するように構成される、請求項３６に記載のシステム。
【請求項４１】
前記光学干渉変調器マスクが、周囲の構造体の可視色と調和するように構成される、請求項３６に記載のシステム。
【請求項４２】
前記複数の層が光学共鳴キャビティ層と、その上の吸収体層とを画定する、請求項３６に記載のシステム。
【請求項４３】
前記複数の層が、光学共鳴キャビティ層と導体層との間に反射性ミラー層をさらに含む、請求項４２に記載のシステム。
【請求項４４】
前記光学共鳴キャビティが誘電体層を含む、請求項４２に記載のシステム。
【請求項４５】
前記光学共鳴キャビティが光学的に透明な導体層を含む、請求項４２に記載のシステム。
【請求項４６】
前記光学共鳴キャビティが複数の層を含む、請求項４２に記載のシステム。
【請求項４７】
前記光学共鳴キャビティが、光学共鳴キャビティが導体層を実質的に囲むように導体層のおもて側と裏側の両方に沿って配置される、請求項４２に記載のシステム。
【請求項４８】
前記吸収体層が金属材料の導電性かつ半透明の厚みを備える、請求項４２に記載のシステム。
【請求項４９】
前記金属材料がＣｒ、Ｍｏ、ＭｏＣｒ、及びＴｉからなる群から選択される、請求項４８に記載のシステム。
【請求項５０】
光学干渉変調器マスクを持たない導体層の反射率が約３０％から約９０％の間である、請求項３６に記載のシステム。